【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
専用短距離通信（ＤＳＲＣ）スペクトルの少なくとも一部を使用するか否かを決定するためにＤＳＲＣ送信を検出する方法において、
前記方法は、
マルチモードクライアントデバイスによって、第１のクロックレートを使用して、前記ＤＳＲＣスペクトルの外側で動作することと、
前記ＤＳＲＣスペクトルの外側で動作している間に第２のクロックレートにスイッチして、前記ＤＳＲＣスペクトルを使用するＤＳＲＣ送信を検出することと、
前記ＤＳＲＣスペクトルにおけるアクティビティレベルを決定することと、
前記アクティビティレベルに少なくとも部分的に基づいて、前記ＤＳＲＣスペクトルの少なくとも一部中で第１の通信チャネルを動作させることと、
前記第１の通信チャネルとともに、前記ＤＳＲＣスペクトルの外側の第２の通信チャネルを維持することとを含む方法。
【請求項２】
前記アクティビティレベルがしきい値を超えるか否かを決定することをさらに含む請求項１記載の方法。
【請求項３】
前記アクティビティレベルが前記しきい値を超えないことを決定した際に、前記ＤＳＲＣスペクトルの少なくとも一部中で動作するために、前記第１のクロックレートにスイッチすることをさらに含む請求項２記載の方法。
【請求項４】
前記アクティビティレベルが前記しきい値を超えることを決定した際に、予め定められた時間期間に対して前記ＤＳＲＣスペクトルの外側で動作を継続するために、前記第１のクロックレートにスイッチすることをさらに含む請求項２記載の方法。
【請求項５】
予め定められた時間期間に対して、前記第２のクロックレートで動作することと、
前記予め定められた時間期間の満了の際に、前記第１のクロックレートにスイッチすることとをさらに含む請求項１記載の方法。
【請求項６】
１つ以上の検出したＤＳＲＣ送信の発生を、アクセスポイント（ＡＰ）に報告することと、
前記報告したＤＳＲＣ送信の発生に少なくとも部分的に基づいている命令を、前記ＡＰから受信することとをさらに含み、
前記ＤＳＲＣスペクトルの少なくとも一部中で第１の通信チャネルを動作させることは、前記ＡＰから受信した命令に少なくとも部分的に基づいている請求項１記載の方法。
【請求項７】
前記第２のクロックレートで動作している間に、前記ＤＳＲＣスペクトル内の複数の周波数帯域のうちの少なくとも１つを監視することをさらに含む請求項１記載の方法。
【請求項８】
前記アクティビティレベルを決定することは、前記監視した周波数帯域の各々における、送信の前記アクティビティレベルを決定することを含む請求項７記載の方法。
【請求項９】
前記第１のクロックレートにスイッチすることと、
前記監視した周波数帯域のうちの少なくとも１つを選択することと、
前記少なくとも１つの選択した周波数帯域を使用して、前記ＤＳＲＣスペクトルの少なくとも一部中で前記第１の通信チャネルを動作させることとをさらに含み、
前記周波数帯域は、前記アクティビティレベルに少なくとも部分的に基づいて選択される請求項８記載の方法。
【請求項１０】
前記監視した周波数帯域のうちの少なくとも１つを選択することは、
前記ＤＳＲＣスペクトル中のセーフティ関連送信に対して割り振られている周波数帯域の選択を避けることを含む請求項９記載の方法。
【請求項１１】
前記第２のクロックレートは、前記第１のクロックレートの半分である請求項１記載の方法。
【請求項１２】
専用短距離通信（ＤＳＲＣ）スペクトルの少なくとも一部を使用するか否かを決定するためにＤＳＲＣ送信を検出するマルチモードクライアントデバイスにおいて、
前記マルチモードクライアントデバイスは、
プロセッサと、
前記プロセッサと電子通信するメモリと、
前記メモリ中に記憶されている命令とを具備し、
前記命令は、
第１のクロックレートを使用して、前記ＤＳＲＣスペクトルの外側で前記マルチモードクライアントデバイスを動作させ、
前記ＤＳＲＣスペクトルの外側で動作している間に第２のクロックレートにスイッチして、前記ＤＳＲＣスペクトルを使用するＤＳＲＣ送信を検出し、
前記ＤＳＲＣスペクトルにおけるアクティビティレベルを決定し、
前記アクティビティレベルに少なくとも部分的に基づいて、前記ＤＳＲＣスペクトルの少なくとも一部中で第１の通信チャネルを動作させ、
前記第１の通信チャネルとともに、前記ＤＳＲＣスペクトルの外側の第２の通信チャネルを維持するように、前記プロセッサによって実行可能であるマルチモードクライアントデバイス。
【請求項１３】
前記命令は、
前記アクティビティレベルがしきい値を超えるか否かを決定するように、前記プロセッサによって実行可能である請求項１２記載のマルチモードクライアントデバイス。
【請求項１４】
前記命令は、
前記アクティビティレベルが前記しきい値を超えないことを決定した際に、前記ＤＳＲＣスペクトルの少なくとも一部中で動作するために、前記第１のクロックレートにスイッチするように、前記プロセッサによって実行可能である請求項１３記載のマルチモードクライアントデバイス。
【請求項１５】
前記命令は、
前記アクティビティレベルが前記しきい値を超えることを決定した際に、予め定められた時間期間に対して前記ＤＳＲＣスペクトルの外側で動作を継続するために、前記第１のクロックレートにスイッチするように、前記プロセッサによって実行可能である請求項１３記載のマルチモードクライアントデバイス。
【請求項１６】
前記命令は、
予め定められた時間期間に対して、前記第２のクロックレートで動作し、
前記予め定められた時間期間の満了の際に、前記第１のクロックレートにスイッチするように、前記プロセッサによって実行可能である請求項１２記載のマルチモードクライアントデバイス。
【請求項１７】
前記命令は、
１つ以上の検出したＤＳＲＣ送信の発生を、アクセスポイント（ＡＰ）に報告し、
前記報告したＤＳＲＣ送信の発生に少なくとも部分的に基づいている命令を、前記ＡＰから受信するように、前記プロセッサによって実行可能であり、
前記ＤＳＲＣスペクトルの少なくとも一部中で第１の通信チャネルを動作させることは、前記ＡＰから受信した命令に少なくとも部分的に基づいている請求項１２記載のマルチモードクライアントデバイス。
【請求項１８】
前記命令は、
前記第２のクロックレートで動作している間に、前記ＤＳＲＣスペクトル内の複数の周波数帯域のうちの少なくとも１つを監視するように、前記プロセッサによって実行可能である請求項１２記載のマルチモードクライアントデバイス。
【請求項１９】
前記アクティビティレベルを決定することは、前記監視した周波数帯域の各々における、送信の前記アクティビティレベルを決定することを含む請求項１８記載のマルチモードクライアントデバイス。
【請求項２０】
前記命令は、
前記第１のクロックレートにスイッチし、
前記監視した周波数帯域のうちの少なくとも１つを選択し、
前記少なくとも１つの選択した周波数帯域を使用して、前記ＤＳＲＣスペクトルの少なくとも一部中で前記第１の通信チャネルを動作させるように、前記プロセッサによって実行可能であり、
前記周波数帯域は、前記決定したアクティビティレベルに少なくとも部分的に基づいて選択される請求項１９記載のマルチモードクライアントデバイス。
【請求項２１】
前記命令は、
前記ＤＳＲＣスペクトル中のセーフティ関連送信に対して割り振られている周波数帯域の選択を避けるように、前記プロセッサによって実行可能である請求項２０記載のマルチモードクライアントデバイス。
【請求項２２】
前記第２のクロックレートは、前記第１のクロックレートの半分である請求項１２記載のマルチモードクライアントデバイス。
【請求項２３】
専用短距離通信（ＤＳＲＣ）スペクトルの少なくとも一部を使用するか否かを決定するためにＤＳＲＣ送信を検出するマルチモードクライアントデバイスにおいて、
前記マルチモードクライアントデバイスは、
第１のクロックレートを使用して、前記ＤＳＲＣスペクトルの外側で前記マルチモードクライアントデバイスを動作させる手段と、
前記ＤＳＲＣスペクトルの外側で動作している間に第２のクロックレートにスイッチして、前記ＤＳＲＣスペクトルを使用するＤＳＲＣ送信を検出する手段と、
前記ＤＳＲＣスペクトルにおけるアクティビティレベルを決定する手段と、
前記アクティビティレベルに少なくとも部分的に基づいて、前記ＤＳＲＣスペクトルの少なくとも一部中で第１の通信チャネルを動作させる手段と、
前記第１の通信チャネルとともに、前記ＤＳＲＣスペクトルの外側の第２の通信チャネルを維持する手段とを具備するマルチモードクライアントデバイス。
【請求項２４】
前記アクティビティレベルがしきい値を超えるか否かを決定する手段をさらに具備する請求項２３記載のマルチモードクライアントデバイス。
【請求項２５】
前記アクティビティレベルが前記しきい値を超えないことを決定した際に、前記ＤＳＲＣスペクトルの少なくとも一部中で動作するために、前記第１のクロックレートにスイッチする手段をさらに具備する請求項２４記載のマルチモードクライアントデバイス。
【請求項２６】
前記アクティビティレベルが前記しきい値を超えることを決定した際に、予め定められた時間期間に対して前記ＤＳＲＣスペクトルの外側で動作を継続するために、前記第１のクロックレートにスイッチする手段をさらに具備する請求項２４記載のマルチモードクライアントデバイス。
【請求項２７】
予め定められた時間期間に対して、前記第２のクロックレートで動作する手段と、
前記予め定められた時間期間の満了の際に、前記第１のクロックレートにスイッチする手段とをさらに具備する請求項２３記載のマルチモードクライアントデバイス。
【請求項２８】
１つ以上の検出したＤＳＲＣ送信の発生を、アクセスポイント（ＡＰ）に報告する手段と、
前記報告したＤＳＲＣ送信の発生に少なくとも部分的に基づいている命令を、前記ＡＰから受信する手段とをさらに具備し、
前記ＤＳＲＣスペクトルの少なくとも一部中で第１の通信チャネルを動作させる手段は、前記ＡＰから受信した命令に少なくとも部分的に基づいている請求項２３記載のマルチモードクライアントデバイス。
【請求項２９】
前記第２のクロックレートで動作している間に、前記ＤＳＲＣスペクトル内の複数の周波数帯域のうちの少なくとも１つを監視する手段をさらに具備する請求項２３記載のマルチモードクライアントデバイス。
【請求項３０】
専用短距離通信（ＤＳＲＣ）スペクトルの少なくとも一部を使用するか否かを決定するためにＤＳＲＣ送信を検出するコンピュータプログラムプロダクトにおいて、
前記コンピュータプログラムプロダクトは、命令を記憶する一時的でないコンピュータ読み取り可能媒体を具備し、
前記命令は、
第１のクロックレートを使用して、前記ＤＳＲＣスペクトルの外側でマルチモードクライアントデバイスを動作させ、
前記ＤＳＲＣスペクトルの外側で動作している間に第２のクロックレートにスイッチして、前記ＤＳＲＣスペクトルを使用するＤＳＲＣ送信を検出し、
前記ＤＳＲＣスペクトルにおけるアクティビティレベルを決定し、
前記アクティビティレベルに少なくとも部分的に基づいて、前記ＤＳＲＣスペクトルの少なくとも一部中で第１の通信チャネルを動作させ、
前記第１の通信チャネルとともに、前記ＤＳＲＣスペクトルの外側の第２の通信チャネルを維持するように、プロセッサによって実行可能であるコンピュータプログラムプロダクト。